(57)【要約】【課題】  マウス機能としての動作の信頼性が高く、本体が嵩張ることなく携帯性にも優れたマウス機能を有する電話装置を提供すること。【解決手段】  少なくとも無線電話部１１、表示部１２、及び入力部１３を本体部１０に備えた電話装置１において、パソコン３０の画面に表示されるポインタの操作を可能にする光学式マウス型入力部１４と、所定の起動又は停止条件が成立した場合に光学式マウス型入力部１４を起動又は停止させる起動停止手段（制御部１６）と、起動停止手段により光学式マウス型入力部１４が起動された場合、光学式マウス型入力部１４で検出された信号をパソコン３０へ送出する信号送出部１５とを装備する。【選択図】  図１       
2005354243.tif 000002
【特許請求の範囲】
【請求項１】
少なくとも無線による送受信機能を有する無線電話手段、各種情報が表示される表示手
段、及び各種操作用の入力手段を本体部に備えた電話装置において、
外部機器の画面に表示されるポインタの操作を可能にする光学式マウス型入力手段と、
所定の起動条件又は停止条件が成立した場合に前記光学式マウス型入力手段を起動又は
停止させる起動停止手段と、
該起動停止手段により前記光学式マウス型入力手段が起動された場合、該光学式マウス
型入力手段で検出された信号を前記外部機器へ送出する信号送出手段とを備えていること
を特徴とする電話装置。
【請求項２】
前記本体部が、受光手段を含む撮像手段を備え、
該撮像手段の受光手段が、前記光学式マウス型入力手段の受光手段としても利用される
ものであることを特徴とする請求項１記載の電話装置。
【請求項３】
前記本体部が、発光手段を含む撮像手段を備え、
該撮像手段の発光手段が、前記光学式マウス型入力手段の発光手段としても利用される
ものであることを特徴とする請求項１又は請求項２記載の電話装置。
【請求項４】
前記光学式マウス型入力手段の各種機能のユーザ設定を可能にする機能設定手段を備え
ていることを特徴とする請求項１〜３のいずれかの項に記載の電話装置。
【請求項５】
前記機能設定手段が、前記光学式マウス型入力手段の入力ボタンの機能入替、前記光学
式マウス型入力手段の移動感度、又は前記光学式マウス型入力手段の移動速度のうちの少
なくともいずれかの機能の設定を可能にするものであることを特徴とする請求項４記載の
電話装置。
【請求項６】
前記信号送出手段が、前記光学式マウス型入力手段で検出された信号を無線通信により
前記外部機器へ送出するものであり、
該外部機器との無線通信のための設定を行う通信設定手段をさらに備えていることを特
徴とする請求項１〜５のいずれかの項に記載の電話装置。
【発明の詳細な説明】
【技術分野】
【０００１】
本発明は電話装置に関し、より詳細にはパーソナルコンピュータ（パソコン）などの外
部機器に対する入力手段としての機能を備えた電話装置に関する。
【背景技術】
【０００２】
最近では、ノート型パソコン等の端末機器の小型化及び軽量化が進んできており、ノー
ト型パソコン等を携帯して外出先で使用するユーザも増えてきている。ノート型パソコン
では、キーボード付近に設けられたトラックパッドやトラックボールを用いて、画面上に
表示されたカーソルなどのポインタを移動させて、アイコン等の選択操作や入力操作が行
えるようになっている。しかし、トラックパッドやトラックボールに不慣れなユーザにと
っては、これらの位置入力手段は非常に操作しづらいため、外付け用のマウスを別途接続
して使用するユーザも多い。ただし、この場合は、ノート型パソコンと一緒にマウスを持
ち運ばなければならず、荷物となり持ち運びも煩わしいという問題があった。
【０００３】
また、最近では携帯電話やＰＨＳなどの携帯可能な小型の電話装置が広く普及しており
、ノート型パソコンに携帯型の電話装置を接続して、外出先でインターネットに接続する
ユーザも増えてきている。外付け用のマウスを利用するユーザは、携帯型の電話装置をノ
ート型パソコンに接続するとともに、外付け用のマウスも接続する必要があるため、接続
がとても煩わしく、また使用時にこれらを設置するためのスペースも必要になるという問
題があった。
【０００４】
そこで、下記の特許文献１には、携帯情報処理端末の移動時の利便性を損なわせること
なく、その操作性を大幅に向上させるために、マウス機能が組み込まれた携帯電話装置が
開示されている。
【０００５】
しかしながら、特許文献１記載の携帯電話装置では、マウス機能として機械式マウスが
組み込まれており、すなわち携帯電話装置本体の背面にボールを配置して、該ボールの回
転量を検出して、ノート型パソコンの画面に表示されたポインタを移動させるように構成
されており、携帯電話装置の厚みがかなり増して嵩張り、携帯性が悪くなるとともに、通
常は電話機として使用されるのでボール部分が汚れやすく、内部にゴミ等が溜り、動作の
信頼性が低下しやすいという課題があった。
【特許文献１】特開２００１−２３７９４１号公報
【発明の開示】
【課題を解決するための手段及びその効果】
【０００６】
本発明は上記課題に鑑みなされたものであって、マウスとしての動作の信頼性が高く、
本体が嵩張ることなく携帯性にも優れ、また電話装置に装備されている機能を利用して追
加部品及び部品コストを削減することのできるマウス機能を有する電話装置を提供するこ
とを目的としている。
【０００７】
上記目的を達成するために本発明に係る電話装置（１）は、少なくとも無線による送受
信機能を有する無線電話手段、各種情報が表示される表示手段、及び各種操作用の入力手
段を本体部に備えた電話装置において、外部機器の画面に表示されるポインタの操作を可
能にする光学式マウス型入力手段と、所定の起動条件又は停止条件が成立した場合に前記
光学式マウス型入力手段を起動又は停止させる起動停止手段と、該起動停止手段により前
記光学式マウス型入力手段が起動された場合、該光学式マウス型入力手段で検出された信
号を前記外部機器へ送出する信号送出手段とを備えていることを特徴としている。
【０００８】
上記電話装置（１）によれば、所定の起動条件が成立した場合に前記光学式マウス型入
力手段を起動させて、該光学式マウス型入力手段で検出された信号が前記外部機器へ送出
されるので、前記外部機器の画面に表示されるポインタの操作を行う光学式マウスとして
前記本体部を使用することができる。しかも、前記光学式マウス型入力手段から構成され
ているのでマウスとしての動作の信頼性を高めることができ、また、機械式マウスを組み
込んだ場合のように前記本体部の厚みが増して嵩張るようなこともなく携帯性にも優れ、
電話機として使用する場合でも使用感を変えることのないものとすることができる。また
、所定の停止条件が成立した場合に速やかに前記光学式マウス型入力手段の作動を停止さ
せることができ、前記光学式マウス型入力手段に供給される無駄な電力消費を防ぐことが
できる。
【０００９】
また本発明に係る電話装置（２）は、上記電話装置（１）において、前記本体部が、受
光手段を含む撮像手段を備え、該撮像手段の受光手段が、前記光学式マウス型入力手段の
受光手段としても利用されるものであることを特徴としている。
【００１０】
上記電話装置（２）によれば、前記撮像手段の受光手段が、前記光学式マウス型入力手
段の受光手段としても利用されるものであるので、元々前記本体部に装備されている前記
撮像手段の機能を利用して、ソフトウェアを対応させるだけで光学式マウスの機能を実現
することが可能となり、追加部品及び部品コストを削減することができる。
【００１１】
また本発明に係る電話装置（３）は、上記電話装置（１）又は（２）において、前記本
体部が、発光手段を含む撮像手段を備え、該撮像手段の発光手段が、前記光学式マウス型
入力手段の発光手段としても利用されるものであることを特徴としている。
【００１２】
上記電話装置（３）によれば、前記撮像手段の発光手段が、前記光学式マウス型入力手
段の発光手段としても利用されるものであるので、上記電話装置（２）と略同様な効果を
得ることができる。
【００１３】
また本発明に係る電話装置（４）は、上記電話装置（１）〜（３）のいずれかにおいて
、前記光学式マウス型入力手段の各種機能のユーザ設定を可能にする機能設定手段を備え
ていることを特徴としている。
【００１４】
また本発明に係る電話装置（５）は、上記電話装置（４）において、前記機能設定手段
が、前記光学式マウス型入力手段の入力ボタンの機能入替、前記光学式マウス型入力手段
の移動感度、又は前記光学式マウス型入力手段の移動速度のうちの少なくともいずれかの
機能の設定を可能にするものであることを特徴としている。
【００１５】
上記電話装置（４）、（５）によれば、前記機能設定手段により、前記光学式マウス型
入力手段の各種機能、例えば、前記入力ボタンの機能入替、前記移動感度、又は前記移動
速度などのユーザ設定が電話装置側で可能となり、前記外部機器側でいちいち設定を行わ
なくてもよく、ユーザの使い勝手を良くすることができる。
【００１６】
また本発明に係る電話装置（６）は、上記電話装置（１）〜（５）のいずれかにおいて
、前記信号送出手段が、前記光学式マウス型入力手段で検出された信号を無線通信により
前記外部機器へ送出するものであり、該外部機器との無線通信のための設定を行う通信設
定手段をさらに備えていることを特徴としている。
【００１７】
上記電話装置（６）によれば、前記外部機器との無線通信のための設定を行う通信設定
手段をさらに備えているので、前記外部機器や電話装置に対応した無線通信を行うことが
できる。
【発明を実施するための最良の形態】
【００１８】
以下、本発明に係る電話装置の実施の形態を図面に基づいて説明する。図１は、実施の
形態（１）に係る電話装置の要部を概略的に示したブロック図である。また、図２は、実
施の形態（１）に係る電話装置の外観を示す図であり、（ａ）は正面斜視図、（ｂ）は背
面斜視図を示している。
【００１９】
図中１は、携帯可能な小型の電話装置を示しており、電話装置１は、無線電話部１１、
表示部１２、入力部１３、光学式マウス型入力部１４、信号送出部１５、及び制御部１６
を含んで構成されており、これら各部は本体部１０に装備されており、本体部１０は、携
帯するのに適した大きさとなっている。
【００２０】
無線電話部１１は、アンテナ１１ａを介して受信した電波から音声信号やデータ信号を
取り出して音声やデータを出力する受信部（図示せず）やマイク１７から入力された音声
信号や入力部１３を介して入力されたデータ信号を電波に乗せて送信する送信部（図示せ
ず）を含んで構成されており、アンテナ１１ａを介して無線により基地局に接続して、通
信を行うことができるように構成されている。
【００２１】
表示部１２は、小型の液晶表示装置から構成されており、表示部１２には、入力部１３
を介して入力された電話番号や文字情報、受信した文字情報や画像情報、各種機能のメニ
ュー画面などの各種情報が表示されるようになっており、本体部１０の正面側に配設され
ている。
【００２２】
入力部１３は、通話オン／オフキー、数字・文字入力キー、電源オン／オフキー、その
他の各種機能キーを含んで構成され、主に本体部１０の正面側に配置されており、入力部
１３を介して電話装置１に関する各種操作が行えるようになっている。
【００２３】
光学式マウス型入力部１４は、パーソナルコンピュータ（パソコン）３０との間で、マ
ウス機能を実現するための通信状態が確立された場合に起動され、本体部１０の背面が配
置された面の画像を連続的に捕らえ、これらの画像を順次比較して、本体部１０の移動方
向及び移動距離を検出するものであり、受光部１４ａ、発光部１４ｂ、及びマウス操作部
１４ｃを含んで構成されている。
【００２４】
受光部１４ａは受光レンズや光センサ（いずれも図示せず）を含んで構成され、また発
光部１４ｂは、発光ダイオードや該発光ダイオードを駆動する発光回路（いずれも図示せ
ず）を含んで構成されており、前記発光ダイオードが受光部１４ａの光源として使用され
るようになっている。受光部１４ａと発光部１４ｂとは、本体部１０の背面略中央部の開
口部１８内に配設されるようになっており、これら各部の駆動動作は、制御部１６からの
制御信号に基づいて制御されるようになっている。また、本体部１０の背面上下端部には
、本体部１０をマウスとして使用した場合の接触面に対する滑りをよくしたり、背面の傷
つきを防ぐためのパッド１９が装着されている。
【００２５】
発光部１４ｂから放出された光線は、開口部１８を通って配置面で反射され、再度開口
部１８を通って受光部１４ａの光センサで集光される。受光部１４ａが、配置面の一連の
画像を連続的に捕らえて、本体部１０の移動方向及び移動距離に応じた信号を検出し、該
信号が制御部１６に送出されるようになっている。
【００２６】
また、マウス操作部１４ｃは、本体部１０の正面側（表示部１２、入力部１３の配置面
）に設けられ、右ボタンＲと左ボタンＬとから構成されている。右ボタンＲ又は左ボタン
Ｌの各ボタンの入力信号が制御部１６に送出されるようになっている。
【００２７】
制御部１６は、起動条件又は停止条件が成立した場合に光学式マウス型入力部１４を起
動又は停止させる処理を行うとともに、起動時には、光学式マウス型入力部１４で検出さ
れた本体部１０の移動方向及び移動距離に応じた信号や、マウス操作部１４ｃからの入力
信号を取り込み、信号送出部１５を介してパソコン３０へ送出する処理が行われるように
なっている。
【００２８】
信号送出部１５は、光学式マウス型入力部１４で検出された信号をケーブル３１を介し
てパソコン３０へ送出するためのインターフェース回路から構成されており、本体部１０
には、ケーブル３１を接続するための端子（図示せず）が設けられている。該端子として
は、マウス機能専用の端子やＵＳＢ端子などを採用することができる。
【００２９】
制御部１６は、無線電話部１１、表示部１２、入力部１３、光学式マウス型入力部１４
、及び信号送出部１５の各部を制御するものであり、ＣＰＵ、ＲＡＭ、ＲＯＭ（いずれも
図示せず）を含んで構成されており、ＲＯＭには各部をソフトウェアで制御するためのプ
ログラムや、表示部１２に表示させる各種メニュー画面や文字データ等が記憶されている
。
【００３０】
また、電話装置１では、表示部１２上に表示された画面を通じて、光学式マウス型入力
部１４の各種機能のユーザ設定が可能になっており、設定された情報は制御部１６内の前
記ＲＡＭに記憶されるようになっている。また、パソコン３０とケーブル３１を介して接
続された場合、前記設定情報が、信号送出部１５を介してパソコン３０に送出され、パソ
コン３０では、前記設定情報に基づいてマウス機能が設定されるようになっている。
【００３１】
例えば、図３に示したような「メインメニュー」画面を通じて、マウス機能を設定する
「マウス」が選択決定されると、図４に示す「マウスメニュー」画面が表示される。ユー
ザは、この画面を通じて、マウス操作部１４ｃを構成する左右ボタンの機能設定を行う「
ボタン」、光学式マウス型入力部１４で検出される移動量に対するパソコン３０の画面に
表示されるポインタの移動量の比率の設定を行う「移動感度」、光学式マウス型入力部１
４で検出される移動速度に対するポインタの移動速度の比率の設定を行う「移動速度」の
選択が行えるようになっている。
【００３２】
図４に示した「マウスメニュー」画面において「ボタン」が選択決定されると、図５に
示した「ボタン切替」画面が表示され、この画面を通じて、マウス操作部１４ｃの右ボタ
ンＲと左ボタンＬの機能を右利き用、左利き用に設定することができるようになっている
。
【００３３】
また、図４に示した「マウスメニュー」画面において「移動感度」が選択されると、図
６に示した「移動感度設定」画面が表示され、ユーザは、この画面を通じてマウスの移動
感度のレベルを自由に設定することができるようになっている。また図４に示した「マウ
スメニュー」画面において「移動速度」が選択されると、図７に示した「移動速度設定」
画面が表示され、ユーザは、この画面を通じてマウスの移動速度のレベルを自由に設定す
ることができるようになっている。
【００３４】
次に実施の形態（１）に係る電話装置１における制御部１６の行うマウス機能の起動停
止処理動作を図８に示したフロ−チャ−トに基づいて説明する。
まずステップＳ１では、電話装置１とパソコン３０とがケーブル３１を介して接続され
たか否かを判断し、接続されていないと判断すればステップＳ１に戻る一方、接続された
と判断すればステップＳ２に進む。
【００３５】
ステップＳ２では、電話装置１とパソコン３０との通信状態を確立させる処理を行い、
その後ステップＳ３に進む。ステップＳ３では、光学式マウス型入力部１４の各部を起動
させる処理（起動処理）、すなわち、発光部１４ｃを構成する発光ダイオードを発光させ
て、受光部１４ａを構成する光センサで画像の読取を開始する処理を行い、その後ステッ
プＳ４に進む。
【００３６】
ステップＳ４では、光学式マウス型入力部１４で検出された本体部１０の移動方向及び
移動距離に応じた信号（移動信号）を取り込む処理を行い、その後ステップＳ５に進む。
ステップＳ５では、検出された移動信号を信号送出部１５を介してパソコン３０へ送出す
る処理を行い、その後ステップＳ６に進む。パソコン３０では、受信した移動信号に基づ
いて画面に表示されたポインタを移動させる処理が行われるようになっている。
【００３７】
ステップＳ６では、マウス操作部１４ｃの操作が検出されたか否かを判断し、マウス操
作部１４ｃの操作が検出されていないと判断すればステップＳ８に進む一方、マウス操作
部１４ｃの操作が検出されたと判断すればステップＳ７に進む。ステップＳ７では、マウ
ス操作部１４ｃの操作信号を信号送出部１５を介してパソコン３０へ送出する処理を行い
、その後ステップＳ８に進む。パソコン３０では、受信した操作信号に基づいて画面に表
示されているアイコンの選択処理などが行われるようになっている。
【００３８】
ステップＳ８では、電話装置１とパソコン３０との通信が接断されたか否かを判断し、
通信が接断されていないと判断すればステップＳ４に戻る一方、通信が接断されたと判断
すればステップＳ９に進む。通信が接断されたか否かは、パソコン３０の電源がオフされ
た場合、ケーブル３１が電話装置１又はパソコン３０から外された場合、又は電話装置１
でマウス機能を停止させる操作が検出された場合などから判断される。
【００３９】
ステップＳ９では、光学式マウス型入力部１４の各部の駆動を停止させる処理を行い、
その後ステップＳ１０に進む。ステップＳ１０では、通常の電話機モードに切り替えて処
理を終了する。
【００４０】
上記実施の形態（１）に係る電話装置１によれば、ケーブル３１が接続されパソコン３
０との通信状態が確立した場合に光学式マウス型入力部１４を起動させて、光学式マウス
型入力部１４で検出された信号がパソコン３０へ送出されるので、パソコン３０の画面に
表示されるポインタの操作を行う光学式マウスとして本体部１０を使用することができる
。しかも、光学式マウス型入力部１４から構成されているのでマウスとしての動作の信頼
性を高めることができ、また、機械式マウスを組み込んだ場合のように本体部１０の厚み
が増して嵩張るようなこともなく携帯性にも優れ、電話機として使用する場合でも使用感
を変えることのないものとすることができる。また、ケーブル３１を介した通信が接断さ
れた場合に速やかに光学式マウス型入力部１４の駆動が停止されるので、受光部１４ａや
発光部１４ｂに供給される無駄な電力消費を防ぐことができる。
【００４１】
また、表示部１２に表示されるマウス機能設定画面（図３〜図７）を介して光学式マウ
ス型入力部１４の各種機能、すなわちマウス操作部１４ｃの左右ボタンの機能入替、移動
感度、移動速度などのユーザ設定が電話装置１側で可能となり、パソコン３０側でいちい
ち設定を行わなくてもよく、ユーザの使い勝手を良くすることができる。
【００４２】
図９は、実施の形態（２）に係る電話装置の要部を概略的に示したブロック図である。
また、図１０は、実施の形態（２）に係る電話装置の外観を示す図であり、（ａ）は正面
斜視図、（ｂ）は背面斜視図を示している。但し図１に示した電話装置１と同一機能を有
する構成部品については同一符号を付して、その説明を省略する。
【００４３】
実施の形態（２）に係る電話装置１Ａが、実施の形態（１）に係る電話装置１と相違す
る点は、電話装置１Ａでは、本体部１０Ａが、表示部１２が設けられた表示筐体１０ａと
入力部１３が設けられた操作筐体１０ｂとが折り畳める折り畳み式構造になっている点と
、本体部１０Ａに静止画や動画を撮影して、ディジタルデータとして記録可能なディジタ
ルカメラ部（撮像手段）２０が組み込まれており、ディジタルカメラ部（撮像手段）２０
の機能を利用して、光学式マウス型入力部の機能が実現されている点と、信号送出部１５
Ａが、ディジタルカメラ部（撮像手段）２０及び制御部１６Ａにて処理された本体部１０
Ａの移動方向及び移動距離に応じた信号（移動信号）を無線通信（例えば、赤外線通信）
によりパソコン３０ヘ送出するようになっている点である。
【００４４】
電話装置１Ａは、無線電話部１１、表示部１２、入力部１３、信号送出部１５Ａ、制御
部１６Ａ、ディジタルカメラ部２０、マウス操作部２１、及び不揮発性メモリ２２を含ん
で構成されており、これら各部は本体部１０Ａに装備されている。
【００４５】
本体部１０Ａは、表示部１２が設けられた表示筐体部１０ａと入力部１３が設けられた
操作筐体部１０ｂとが折り畳める折り畳み式構造となっており、表示筐体部１０ａと操作
筐体部１０ｂとはヒンジ部１０ｃによって回動可能に連結されている。
【００４６】
ディジタルカメラ部２０は、ヒンジ部１０ｃに回動可能に配設されており、レンズやＣ
ＣＤ（Charge Coupled Device ）（いずれも図示せず）を含んで構成される受光部２０ａ
と、フラッシュやライトとして使用される発光ダイオードや発光回路（いずれも図示せず
）を含んで構成される発光部２０ｂとを含んで構成されている。
【００４７】
ディジタルカメラ部２０は、入力部１３の所定の機能キーを介してカメラモードが選択
されると起動し、静止画撮影や動画撮影が可能になっており、撮影された静止画や動画の
ディジタルデータが不揮発性メモリ２２に記憶されるようになっている。
【００４８】
また、マウス機能を利用するためにパソコン３０Ａとの通信状態が確立されると、ディ
ジタルカメラ部２０を構成する受光部２０ａと発光部２０ｂが起動される。ディジタルカ
メラ部２０を下面に向けて配置すると、発光部２０ｂから放出された光線が、配置面で反
射され、受光部２０ａのＣＣＤで集光される。受光部２０ａが、配置面の一連の画像を連
続的に捕らえて、これらの画像を順次比較して、本体部１０Ａの移動方向及び移動距離に
応じた信号を検出し、該信号が制御部１６Ａに送出されるようになっている。
【００４９】
マウス操作部２１は、本体部１０Ａの正面側に設けられ、右ボタンＲと左ボタンＬとか
ら構成されている。右ボタンＲ又は左ボタンＬの各ボタン信号が制御部１６Ａに送出され
るようになっている。
【００５０】
制御部１６Ａは、ディジタルカメラ部２０で検出された本体部１０Ａの移動方向及び移
動距離に応じた信号や、マウス操作部２１からの入力信号を取り込み、これらの信号を信
号送出部１５Ａを介してパソコン３０Ａへ赤外線通信により送出する処理が行われるよう
になっている。
【００５１】
信号送出部１５Ａは、ディジタルカメラ部２０で検出された本体部１０Ａの移動信号を
赤外線通信によりパソコン３０Ａへ送出するためのインターフェース回路から構成されて
いる。また、パソコン３０Ａには、赤外線通信を行うためのインターフェース回路が内蔵
又はＵＳＢ端子等にレシーバ（受信部）として外付けされている。
【００５２】
また、電話装置１Ａでは、表示部１２上に表示された画面を通じて、図３〜図７で説明
したような各種マウス機能のユーザ設定が可能になっており、新たな機能として、電話装
置１Ａとパソコン３０Ａとが赤外線通信を行うための設定メニューが追加されている。
【００５３】
まず、ユーザが電話装置１Ａをパソコン３０Ａのマウスとして利用する場合、図１１に
示した「マウスメニュー」画面において「通信設定」を選択する。すると図１２に示した
通信設定画面が表示され、この画面を参照して、所定の接続チャンネル（例えば、パソコ
ン３０Ａや電話装置１Ａの機種に応じたコードやユーザ毎のＩＤ等）を選択又はキー入力
して、送信キーを入力すると、コード信号が信号送出部１５Ａを介してパソコン３０Ａへ
赤外線通信により送出されるようになっている。そして、パソコン３０Ａでは、受信した
コード信号に基づいてマウス機能が設定され、電話装置１Ａとパソコン３０Ａとの間で通
信状態が確立されるようになっている。
【００５４】
次に実施の形態（２）に係る電話装置１Ａにおける制御部１６Ａの行うマウス機能の起
動停止処理動作を図１３に示したフロ−チャ−トに基づいて説明する。なお、本処理動作
は、電話装置１Ａとパソコン３０Ａとの間で通信状態が確立された場合に実行される。
【００５５】
まずステップＳ１１では、電話装置１Ａとパソコン３０Ａとの間の通信状態が確立した
否かを判断し、通信状態が確立していないと判断すればステップＳ１１に戻る一方、通信
状態が確立したと判断すればステップＳ１２に進む。
【００５６】
ステップＳ１２では、ディジタルカメラ部２０を起動させる、すなわち、受光部２０ａ
を画像認識状態とし、発光部２０ｂを駆動させて発光タイオードを発光させる処理（起動
処理）を行い、その後ステップＳ１３に進む。
【００５７】
ステップＳ１３では、ディジタルカメラ部２０で検出された画像信号を取り込む処理を
行い、その後ステップＳ１４に進む。ステップＳ１４では、取り込んだ画像信号に基づい
て、本体部１０Ａの移動方向及び移動距離を含む移動データを算出する処理を行い、その
後ステップＳ１５に進む。ステップＳ１５では、算出された移動データを信号送出部１５
Ａを介してパソコン３０Ａへ赤外線通信により送出する処理を行い、その後ステップＳ１
６に進む。
【００５８】
ステップＳ１６では、マウス操作部２１の操作が検出されたか否かを判断し、マウス操
作部２１の操作が検出されていないと判断すればステップＳ１８に進む一方、マウス操作
部２１の操作が検出されたと判断すればステップＳ１７に進む。ステップＳ１７では、マ
ウス操作部２１の操作信号を信号送出部１５Ａを介してパソコン３０Ａへ送出する処理を
行い、その後ステップＳ１８に進む。
【００５９】
ステップＳ１８では、電話装置１とパソコン３０Ａとの通信が接断されたか否かを判断
し、通信が接断されていないと判断すればステップＳ１３に戻る一方、通信が接断された
と判断すればステップＳ１９に進む。ステップＳ１９では、ディジタルカメラ部２０の各
部の駆動を停止させる処理を行い、その後ステップＳ２０に進む。ステップＳ２０では、
通常の電話機モードに切り替えて処理を終了する。
【００６０】
上記実施の形態（２）に係る電話装置１Ａによれば、上記実施の形態（１）に係る電話
装置１と略同様な効果を得ることができるとともに、ディジタルカメラ部２０の受光部２
０ａが、光学式マウス型入力手段の受光手段としても利用され、ディジタルカメラ部２０
の発光部２０ｂが、光学式マウス型入力手段の発光手段としても利用されるものであるの
で、元々本体部１０Ａに装備されているディジタルカメラ部２０の機能を利用して、ソフ
トウェアを対応させることによりマウス機能を実現することが可能となり、追加部品及び
部品コストを削減することができる。
【００６１】
また、表示部１２に表示されるマウス機能設定画面（図１２）を介して、パソコン３０
Ａとの無線通信のための設定を行うことができ、パソコン３０Ａや使用する電話装置１Ａ
に対応した無線通信が可能となる。
【００６２】
また、本体部１０Ａが、折り畳み式の構造から構成されているので、本体部１０Ａをマ
ウスとして使用するときに、ユーザの手に納まるようして、手になじみやすくすることが
でき、使用感を高めることができる。なお、本体部１０Ａの構造には、折り畳み構造の他
に、表示筐体部１０ａに対して操作筐体部１０ｂを水平方向にスライド可能なスライド構
造、又は表示筐体部１０ａ部に対して操作筐体部１０ｂを水平方向に回転させて互いに重
ね合わせることが可能な回転式構造も適用することができ、同様にマウスとしての使用時
に手になじみやすくすることができる。
【００６３】
また、上記実施の形態（２）に係る電話装置１Ａでは、ディジタルカメラ部２０が、ヒ
ンジ部１０ｃに装備されている場合について説明したが、ディジタルカメラ部２０の設置
位置は特に限定されるものではなく、例えば、表示筐体部１０ａの正面側に設置すること
もでき、この場合、マウス操作部２１を操作筐体部１０ｂの背面や側面に配設する構造に
すればよく、マウスとして使用する際には、ディジタルカメラ部２０が配設された表示筐
体部１０ａの正面側をマウスパットなどの面に向けて使用すればよい。                
【００６４】
また、上記実施の形態（２）に係る電話装置１Ａでは、信号送出部１５Ａが赤外線通信
を行う場合について説明したが、他の無線通信の規格に基づく通信方式を適用することも
できる。
【００６５】
また、上記実施の形態（１）、（２）に係る電話装置１（１Ａ）では、パソコン３０（
３０Ａ）との通信状態が確立され、通信が切断されるまでの間、光学式マウス入力部１４
やディジタルカメラ部２０が光学式マウスとして駆動するように構成されているが、この
間、無線電話部１１を介してインターネットなどに接続できるようにしてもよく、また、
電話を受けた場合、通話中はマウス機能を一時的にオフさせる構成としてもよい。
【図面の簡単な説明】
【００６６】
【図１】本発明の実施の形態（１）に係る電話装置の要部を示したブロック図である。
【図２】実施の形態（１）に係る電話装置の外観を示した図であり、（ａ）は正面斜視図、（ｂ）は背面斜視図である。
【図３】表示部に表示される「メインメニュー」画面の表示例を示す図である。
【図４】表示部に表示される「マウスメニュー」画面の表示例を示す図である。
【図５】表示部に表示される「ボタン設定」画面の表示例を示す図である。
【図６】表示部に表示される「移動感度設定」画面の表示例を示す図である。
【図７】表示部に表示される「移動速度設定」画面の表示例を示す図である。
【図８】実施の形態（１）に係る電話装置の制御部の行うマウス機能の起動停止処理動作を示したフローチャートである。
【図９】実施の形態（２）に係る電話装置の要部を示したブロック図である。
【図１０】実施の形態（２）に係る電話装置の外観を示した図であり、（ａ）は正面斜視図、（ｂ）は背面斜視図である。
【図１１】表示部に表示される「マウスメニュー」画面の表示例を示す図である。
【図１２】表示部に表示される「通信設定」画面の表示例を示す図である。
【図１３】実施の形態（２）に係る電話装置の制御部の行うマウス機能の起動停止処理動作を示したフローチャートである。
【符号の説明】
【００６７】
１、１Ａ  電話装置
１０、１０Ａ  本体部
１１  無線電話部                                                                
１２  表示部
１３  入力部
１４  光学式マウス型入力部
１５、１５Ａ  信号送出部
１６、１６Ａ  制御部
２０  ディジタルカメラ部
２１  マウス操作部
【図１】
2005354243.tif 000003
【図２】
2005354243.tif 000004
【図３】
2005354243.tif 000005
【図４】
2005354243.tif 000006
【図５】
2005354243.tif 000007
【図６】
2005354243.tif 000008
【図７】
2005354243.tif 000009
【図８】
2005354243.tif 000010
【図９】
2005354243.tif 000011
【図１０】
2005354243.tif 000012
【図１１】
2005354243.tif 000013
【図１２】
2005354243.tif 000014
【図１３】
2005354243.tif 000015